(57)【要約】【課題】洋式便器に衛生的に設置できる衛生用品を提供すること。【解決手段】本考案の衛生用品（４）は、便座（３１）が回動可能に連結される温水洗浄便座装置（３）の装置本体（３３）に支持されて平面視で前記装置本体（３３）の側方に位置する操作部（３５）に取り付けられるホルダと、前記ホルダに保持される薬剤と、を備える。本考案では、衛生用品（４）が、温水洗浄便座装置（３）が装着される便器本体（２）の外部にある操作部（３５）に取り付けられるので、衛生用品（４）に汚物が付着することを抑制できる。本考案では、衛生用品（４）が操作部（３５）に取り付けられるので、衛生用品（４）が万が一操作部（３５）から外れても、衛生用品（４）が便器本体（２）の汚物受け面（２１）上に落下することを防止できる。【選択図】図１
0003201145.tif 000002
【実用新案登録請求の範囲】
【請求項１】
便座が回動可能に連結される温水洗浄便座装置の装置本体に支持されて平面視で前記装置本体の側方に位置する操作部に取り付けられるホルダと、
前記ホルダに保持される薬剤と、
を備えることを特徴とする衛生用品。
【請求項２】
前記ホルダは、前記操作部の下面に取り付けられることを特徴とする衛生用品。
【請求項３】
請求項１または請求項２に記載の衛生用品において、
前記ホルダは、前記操作部に両面テープによって取り付けられることを特徴とする衛生用品。
【請求項４】
請求項１から請求項３のいずれかに記載の衛生用品において、
前記薬剤は、芳香剤、除菌剤、および消臭剤のいずれかであることを特徴とする衛生用品。
【考案の詳細な説明】
【技術分野】
【０００１】
本考案は、衛生用品に関する。
【背景技術】
【０００２】
従来、芳香剤等の薬剤を保持し、小便器の排水部に設置される衛生用品が知られる（例えば特許文献１）。
【先行技術文献】
【特許文献】
【０００３】
【特許文献１】特開２００９−５２１９８号公報
【考案の概要】
【考案が解決しようとする課題】
【０００４】
このような薬剤を保持する衛生用品において、洋式便器に設置可能なものが望まれている。ここで、洋式便器においては、ボウル内に衛生用品を設置することは衛生的に好ましくない。
【０００５】
本考案は、洋式便器に衛生的に設置できる衛生用品を提供することを目的とする。
【課題を解決するための手段】
【０００６】
本考案の衛生用品は、便座が回動可能に連結される温水洗浄便座装置の装置本体に支持されて平面視で前記装置本体の側方に位置する操作部に取り付けられるホルダと、前記ホルダに保持される薬剤と、を備えることを特徴とする。
【０００７】
本考案では、前記ホルダは、前記操作部の下面に取り付けられてもよい。
【０００８】
本考案では、前記ホルダは、前記操作部に両面テープによって取り付けられてもよい。
【０００９】
本考案では、前記薬剤は、芳香剤、除菌剤、および消臭剤のいずれかであってもよい。
【図面の簡単な説明】
【００１０】
【図１】洋式便器の斜視図である。
【図２】衛生用品の断面図である。
【図３】蓋部材の平面図である。
【考案を実施するための形態】
【００１１】
以下、実施形態について図面を参照しつつ説明する。
（洋式便器１の全体構成）
図１は、洋式便器１の斜視図である。
洋式便器１は、便器本体２、温水洗浄便座装置３、および衛生用品４を備える。
【００１２】
便器本体２は、ボウル状の汚物受け面２１を有する。便器本体２には、不図示の給水源から洗浄水が供給される。洗浄水は、汚物受け面２１上の汚物を洗浄し、汚物受け面２１の底にある排水部２２から排水される。
【００１３】
温水洗浄便座装置３は、便器本体２上に設置される。
温水洗浄便座装置３は、便座３１、便蓋３２、装置本体３３、ノズル３４、および操作部３５を備える。
【００１４】
便座３１は、リング状であり、使用者が着座するためのものである。便座３１は、内部にヒータを有し、ヒータにより上面を温めることが可能である。
便蓋３２は、回動可能に設けられ、閉位置にある際に便座３１を覆う。
【００１５】
装置本体３３には、便座３１及び便蓋３２の基端部が回動可能に連結される。
装置本体３３は、便器本体２の上面の後端部上に設けられる。ここで、水平面において便座３１の回転中心軸Ｌに直交する方向のうち、便座３１に着座する使用者の背中側から腹側に向かう方向を前方とし、その反対方向を後方とする。
【００１６】
装置本体３３は、ノズル３４を支持するとともに、ノズル３４を汚物受け面２１上の空間に向かって斜め下方に伸縮させる。装置本体３３には、不図示の給水源から洗浄水が供給される。装置本体３３は、ノズル３４に、使用者の局部を洗浄するための洗浄水を供給する。装置本体３３は、洗浄水の温度を制御でき、ノズル３４に洗浄水として温水を供給できる。
【００１７】
装置本体３３は、操作部３５の入力に基づいて、ノズル３４の伸縮動作や洗浄水の吐出動作、洗浄水の温度、便座３１の温度等を制御する。
【００１８】
ノズル３４は、装置本体３３から汚物受け面２１上の空間まで伸び、先端部から上方に向かって洗浄水を吐出して使用者の局部を洗浄する。
【００１９】
操作部３５は、装置本体３３に支持されて装置本体３３の側方に位置する。具体的に、操作部３５は、洋式便器１を上方から見た平面視において、装置本体３３や便座３１、便器本体２の側方に位置する。
【００２０】
操作部３５の高さ位置は、本実施形態では、便座３１と同程度であるが、便座３１より高くても低くてもよい。操作部３５は、本実施形態では、水平に設けられるものとするが、水平面に対して斜めに設けられてもよい。
【００２１】
操作部３５の上面３５１には、ボタン等の入力部３５２がある。入力部３５２は、ノズル３４の伸縮動作や洗浄水の吐出動作、洗浄水の温度、便座３１の温度等を制御するための使用者の入力を受け付ける。
【００２２】
（衛生用品４の構成）
衛生用品４は、操作部３５の下面３５３に取り付けられる。
【００２３】
図２は、衛生用品４の断面図である。
衛生用品４は、操作部３５の下面３５３に両面テープ４１によって取り付けられる。
【００２４】
衛生用品４は、外形が直方体状のケース４２（ホルダ）と、ケース４２に収容される薬剤４３とを備える。
【００２５】
ケース４２は、有底箱状のケース本体４２１と、ケース本体４２１に取り付けられる蓋部材４２２とを備える。ケース本体４２１の底面に両面テープ４１が貼り付けられる。
【００２６】
蓋部材４２２は、ケース本体４２１から落下しないようにケース本体４２１に取り付けられる。
【００２７】
薬剤４３は、本実施形態では芳香剤とするが、除菌剤あるいは消臭剤であってもよい。
薬剤４３は、ケース本体４２１の底部に固定される。
【００２８】
図３は、蓋部材４２２の平面図である。
蓋部材４２２には、蓋部材４２２を貫通する複数の溝部４２３がある。溝部４２３は、ケース４２の側面に設けられてもよい。複数の溝部４２３から芳香剤の香りが衛生用品４の外部に拡散する。
【００２９】
（効果）
本実施形態では、衛生用品４が、便器本体２の外部にある操作部３５に取り付けられるので、衛生用品４に汚物が付着することを抑制できるとともに、衛生用品４が万が一操作部３５から外れても、汚物受け面２１上に落下することを防止できる。
【００３０】
本実施形態では、衛生用品４が操作部３５の下面３５３に取り付けられるので、衛生用品４を見えにくくでき、洋式便器１の美観を良好にできる。
【００３１】
薬剤４３の効果が切れた場合、衛生用品４を新しいものに交換するか、内部の薬剤４３を交換する必要があり、いずれにしても衛生用品４を洋式便器１から取り外す必要がある。
本実施形態では、衛生用品４を両面テープ４１によって洋式便器１に取り付けるので、衛生用品４を洋式便器１に対して容易に着脱できる。
【００３２】
（変形例）
本実施形態では、衛生用品４は操作部３５の下面３５３に取り付けられたが、衛生用品４は操作部３５の側面や上面３５１に取り付けられてもよい。
【００３３】
本実施形態では、ホルダの例として、薬剤４３を収容するケース４２を挙げたが、ホルダは、ケースでなくてもよく、薬剤４３を外部に露出させた状態で薬剤４３を保持してもよい。
【００３４】
薬剤４３は、液体状でも、ゲル状でも、固体状であってもよいし、シートに染み込まされていてもよい。
【符号の説明】
【００３５】
１…洋式便器、３…温水洗浄便座装置、４…衛生用品、３１…便座、３３…装置本体、
４１…両面テープ、４２…ケース（ホルダ）、４３…薬剤、３５３…操作部の下面。
【図１】
0003201145.tif 000003
【図２】
0003201145.tif 000004
【図３】
0003201145.tif 000005